(57)【特許請求の範囲】
【請求項１】
室外ファンを配置する風回路室と圧縮機を配置する機械室とを仕切る仕切板と、前記風回路室の前方であって筐体の一部を構成する風回路前板と、前記機械室の前方であって筐体の一部を構成する機械室前板と、前記機械室前板の下部の一部を開口して形成される開口部と、前記開口部を覆う蓋部と、前記機械室前板には係合爪と、前記蓋部には前記係合爪に係合されるように設けられた係合穴とを備え、前記蓋部の端部を前記係合穴の背面側を覆うように折り曲げて構成することを特徴とする空気調和機の室外ユニット。
【請求項２】
折り曲げられた前記蓋部の端部は、前記蓋部の手前方向に向かって傾斜するように曲げられることを特徴とする請求項１に記載の空気調和機の室外ユニット。
【請求項３】
前記機械室前板と前記風回路前板との境界部近傍にシール構造を設けたことを特徴とする請求項１または２に記載の空気調和機の室外ユニット。
【請求項４】
前記仕切板の前方端部側をＬ字形状に折り曲げて前方向に端部が向くように配置し、前記風回路前板側の前記機械室前板の端部をＬ字形状に折り曲げて後方向に端部が向くように配置し、前記仕切板のＬ字形状の端部が前記機械室前板の後方に位置するように配置し、前記仕切板のＬ字形状の端部と前記風回路前板のＬ字形状の端部との間に前記シール構造を設けたことを特徴とする請求項３に記載の空気調和機の室外ユニット。
【請求項５】
前記シール構造はフォーム状の断熱材としたことを特徴とする請求項３または４に記載の空気調和機の室外ユニット。
【発明の詳細な説明】
【技術分野】
【０００１】
本発明は、空気調和機の室外ユニットに関する。
【背景技術】
【０００２】
大能力タイプの空気調和機の室外ユニットやパッケージエアコンの室外ユニットでは、室外ユニットの横連続設置に対応できるように、送風機の吹き出し口面側から作業ができるように、圧縮機室と機械室の上部に設けられる制御基板を収納する電装部品室とを覆う機械室前板が設けられている。
【０００３】
また、配管接続部も機械室に収納されているので、設置時の配管接続作業、冷媒追加充填作業また設置状態に応じて室外ユニット制御基板に設けられた種々の設定スイッチの操作を行うには、機械室前板を外して作業を行うようになっており、そのため機械室前板は、数本のネジを緩めることで簡単に取り外せる構成となっている（例えば、特許文献１参照）。
【０００４】
図１０は従来の空気調和機の室外ユニットの構成図である。図１０に示すように、機械室の前に設けられている機械室前板１０１の下部には内外接続配管を通すための開口部１０２が設けられており、開口部１０２を覆う蓋部１０３が設けられている。
【０００５】
そして機械室前板１０１には略Ｌ字形状の係止爪１０４が設けられており、蓋部１０３には略矩形状の係合穴１０５がそれぞれ設けられており、それらが互いに係合することによって機械室前板１０１に蓋部１０３が仮止めされ、その後、ネジなどで固定している。
【先行技術文献】
【特許文献】
【０００６】
【特許文献１】特開２００２−２５０５４４号公報
【発明の概要】
【発明が解決しようとする課題】
【０００７】
しかしながら、前記従来の構成において、蓋部１０３に設けた係合穴１０５から雨水などが侵入してしまうという課題を有していた。
【０００８】
本発明は、前記従来の課題を解決するもので、機械室内部への雨水等の侵入を防止することができる空気調和機の室外ユニットを提供することを目的とする。
【課題を解決するための手段】
【０００９】
前記従来の課題を解決するために、本発明の空気調和機の室外ユニットは、室外ファンを配置する風回路室と圧縮機を配置する機械室とを仕切る仕切板と、風回路室の前方であって筐体の一部を構成する風回路前板と、機械室の前方であって筐体の一部を構成する機械室前板と、機械室前板の下部の一部を開口して形成される開口部と、開口部を覆う蓋部と、機械室前板には係合爪と、蓋部には係合爪に係合されるように設けられた係合穴とを備え、蓋部の端部を係合穴の背面側を覆うように折り曲げて構成することにより、係合穴から侵入してきた水を蓋部の端部でさらに内部に侵入することを防ぐことができる。
【発明の効果】
【００１０】
本発明は、信頼性を向上させた空気調和機の室外ユニットを提供することができる。
【図面の簡単な説明】
【００１１】
【図１】本発明の実施の形態１の空気調和機の室外ユニットの外観斜視図
【図２】同実施の形態１における空気調和機の室外ユニットの要部分解図
【図３】同実施の形態１におけるＸＸ断面図
【図４】同実施の形態１における空気調和機の室外ユニットの要部展開正面図
【図５】同実施の形態１におけるａ部拡大図
【図６】同実施の形態１におけるｂ部拡大図
【図７】同実施の形態１における空気調和機の室外ユニットの外観斜視図
【図８】同実施の形態１における蓋部の構成図
【図９】同実施の形態１におけるＹＹ断面図
【図１０】従来の空気調和機の室外ユニットの外観斜視図
【発明を実施するための形態】
【００１２】
第１の発明の空気調和機の室外ユニットは、室外ファンを配置する風回路室と圧縮機を配置する機械室とを仕切る仕切板と、風回路室の前方であって筐体の一部を構成する風回路前板と、機械室の前方であって筐体の一部を構成する機械室前板と、機械室前板の下部の一部を開口して形成される開口部と、開口部を覆う蓋部と、機械室前板には係合爪と、蓋部には係合爪に係合されるように設けられた係合穴とを備え、蓋部の端部を係合穴の背面側を覆うように折り曲げて構成することにより、係合穴から侵入してきた水を蓋部の端部でさらに内部に侵入することを防ぐことができる。
【００１３】
第２の発明の空気調和機の室外ユニットは、特に第１の発明において、折り曲げられた蓋部の端部は、蓋部の手前方向に向かって傾斜するように曲げられることにより、勢い良く辺に衝突した雨水は、辺の傾斜により蓋部の内側にはじかれ室外ユニット内部への飛散を防止できるものである。
【００１４】
第３の発明の空気調和機の室外ユニットは、特に第１または第２の発明において、機械室前板と風回路前板との境界部近傍にシール構造を設けたことにより、境界部からのミストの侵入を防止することができる。
【００１５】
第４の発明の空気調和機の室外ユニットは、特に第３の発明において、仕切板の前方端部側をＬ字形状に折り曲げて前方向に端部が向くように配置し、風回路前板側の機械室前板の端部をＬ字形状に折り曲げて後方向に端部が向くように配置し、仕切板のＬ字形状の端部が機械室前板の後方に位置するように配置し、仕切板のＬ字形状の端部と風回路前板のＬ字形状の端部との間にシール構造を設けたことにより、より水滴やミストが入り難い構成とすることで信頼性を向上させることができる。
【００１６】
第５の発明の空気調和機の室外ユニットは、特に第３または第４の発明において、シール構造はフォーム状の断熱材としたことにより、水滴やミストを断熱材で吸収することができ、内部への侵入を防ぐことができる。
【００１７】
以下、本発明の実施の形態について、図面を参照しながら説明する。なお、この実施の形態によって本発明が限定されるものではない。
【００１８】
（実施の形態１）
図１は実施の形態１の空気調和機の室外ユニットの外観斜視図、図２は実施の形態１の空気調和機の室外ユニットの要部分解図、図３は実施の形態１におけるＸＸ断面図（冷凍サイクル構成部品は図示せず）、図４は実施の形態１における要部展開正面図である。
【００１９】
図１から図４に示すように、空気調和機の室外ユニット１は、基板２の上に冷凍サイク
ルの構成部品を搭載し、基板２の上に風回路室２Ａと機械室２Ｂとを仕切る仕切板８を設けている。
【００２０】
風回路室２Ａには、ファンモータ台を介して上下に室外送風機５が配置されており、機械室２Ｂには、圧縮機３が配置され、圧縮機３の上方に電装部品を内部に有する電装ボックス１２が配置されている。また、室外ユニット１の背面側には室外熱交換器４が配置されている。また、機械室には冷媒管等の冷凍サイクル構成部品（図示せず）が搭載されている。
【００２１】
また、風回路室２Ａの前方には風回路前板９Ａが設けられており、風回路前板は前面グリル１３とベルマウスを有する前板７で構成される。一方、機械室２Ｂの前方には略Ｌ字形状の機械室前板９Ｂが設けられており、前方方向から側方方向の筐体を構成している。また、機械室２Ｂの後方には略Ｌ字形状の機械室後板９Ｃが設けられており、側方方向から後方方向の筐体を構成している。また、天面側には天板１１が配置されており、筐体の一部を構成している。
【００２２】
以上のように構成された空気調和機の室外ユニットにおいて、風回路前板９Ａと機械室前板９Ｂとの当接部分について説明する。図５はａ部の拡大図である。
【００２３】
本実施の形態において機械室前板９Ｂと当接する側の風回路前板９Ａの端部は、略Ｚ形状となっており、二段階に略直角形状におりまげられている。具体的には、前面から後ろ方向へ略直角に折り曲げられた後、筐体の前面と略平行となるように機械室前板９Ｂ側へ略直角に折り曲げられる。
【００２４】
また、風回路前板９Ａと当接する側の機械室前板９Ｂの端部は、略Ｌ字形状となっており、前面から後ろ方向へ略直角に折り曲げられている。そして、風回路前板９Ａと機械室前板９Ｂとは対向する平面部で当接し、例えばネジ止めされて固定される。なお、ネジ止めに限らず、一方に引っ掛かり部を設け、他方に引っ掛け部を設ける構成で、互いに係合させて固定してもよい。
【００２５】
ところが、風回路前板９Ａと機械室前板９Ｂとの当接面１６には組み立て上わずかな隙間が発生する場合がある。高温多湿で雨量の多い地域では、通常の雨水に加えて、水滴の大きさが１０μｍ程度のミスト状の水滴が発生する場合があり、これらが当接面１６の隙間から侵入してしまう可能性がある。
【００２６】
そこで、本実施の形態では、風回路前板９Ａの端部と機械室前板９Ｂとの間にシール構造であるフォーム状の断熱材１４を貼り付けている。このように構成することによって、機械室２Ｂへのミストの侵入を防止することができ、また、フォーム状の断熱材１４を用いることによって、ミストを吸収することもでき、機械室２Ｂへのミストの侵入をさらに抑制する。
【００２７】
また、仕切板８の端部はＬ字形状となっており、筐体の前面方向に向かって端部が折り曲げられている。そして、仕切板８の端部が筐体の前面方向へ向かい、機械室前板９Ｂの端部が筐体の後ろ方向へ向かい、さらに仕切板８の端部が機械室前板９Ｂの背面側に配置すると、仕切板８の端部と機械室前板９Ｂの端部とで囲まれるスペース１７が形成される。
【００２８】
そして、仕切板８の端部と、風回路前板９Ａの端部と、機械室前板９Ｂの端部とで囲まれたスペース１７に断熱材１４を配置して貼り付けている。
【００２９】
このように構成することによって、さらに仕切板８の端部が水滴などの侵入を防ぐことができ、さらに信頼性を向上させることができる。
【００３０】
同様に、機械室前板９Ｂと機械室後板９Ｃとの当接面においてもフォーム状の断熱材１５を設けている。図６はｂ部の拡大図である。
【００３１】
図６に示すように、機械室後板９Ｃと当接する側の機械室前板９Ｂの端部は、略Ｌ字形状を形成しており、筐体の内方に向かうように略直角に折り曲げられている。また、機械室前板９Ｂと当接する側の機械室後板９Ｃの端部は、略Ｚ形状となっており、二段階に略直角に折り曲げられている。具体的には、筐体の内方に向かうように略直角形状に折り曲げられ、さらに、筐体の前面方向に向かうように略直角形状に折り曲げられている。
【００３２】
そして、機械室前板９Ｂと機械室後板９Ｃとは対向する平面部で当接し、例えば、ネジ止めされて固定されているが、互いに係合する構成であってもよい。そして、機械室前板９Ｂと機械室後板９Ｃとの間に当接面１８が形成される。
【００３３】
本実施の形態では、機械室前板９Ｂと機械室後板９Ｃの間にシール構造であるフォーム状の断熱材１５を貼り付けている。このように構成することによって、機械室２Ｂへのミストの侵入を防止することができ、また、フォーム状の断熱材１４を用いることによって、ミストを吸収することもでき、機械室２Ｂへのミストの侵入をさらに抑制する。
【００３４】
また、図４に示すように、断熱材１４および１５の長さＬｄは、筐体の長さＬａよりも短い。防水しなければならない電装ボックス１２および冷凍サイクルの構成部品の周囲だけにシール構造を設けておくだけで、最低限の防水機能を実現することができ、製造コストを低減することができる。
【００３５】
次に、機械室前板９Ｂの構成について説明する。図７は本実施の形態１における空気調和機の室外ユニットの外観斜視図であり、図８は本実施の形態１における蓋部の外観斜視図、図９はＹＹ断面図である。
【００３６】
図７から図９に示すように、機械室前板９Ｂの下方部には接続配管などを通す開口部９Ｅが設けられており、その開口部９Ｅを覆うように蓋部９Ｄが設けられている。開口部９Ｅの周囲には略Ｌ字形状の係合爪２０が設けられており、一方、蓋部９Ｄには略矩形状の係合穴２１が設けられており、係合爪２０と係合穴２１とが互いに係合することによって、機械室前板９Ｂに蓋部９Ｄが仮止めされている。そして、機械室前板９Ｂと基板２とをネジ２２でとめ、また、蓋部９Ｄと基板２とをネジ２３でとめられる。
【００３７】
次に、蓋部９Ｄの構成について説明する。蓋部９Ｄの端部は略コの字形状に折り曲げられている。具体的には、蓋部９Ｄに設けた係合穴２１の背面側を覆うように曲げられており、蓋部９Ｄを前方向から係合穴２１を見たときに、機械室２Ｂが見通せないようになっており、蓋部９Ｄの端部の内側が見られるように構成されている。このように構成することによって、係合穴２１から雨水などの水が侵入した場合であっても、略コの字形状に折り曲げられた蓋部９Ｄの端部によって、機械室２Ｂの内部に水が侵入することを防ぐことができる。
【００３８】
また、ＹＹ断面図に示すように、蓋部９Ｄの端部は前側方向に傾斜するように構成されている。このように構成することによって、係合穴２１から侵入した雨水、特に台風の暴風雨のように勢い良く吹き付ける雨であっても、蓋部９Ｄの端部によって必ず蓋部９Ｄの内側に当たる方向に跳ね返されるため、機械室２Ｂへ雨水が入ることをさらに抑制することができる。
【００３９】
以上のように、本実施の形態の室外ユニットは、雨水などの水の侵入を抑制することができるため、信頼性を向上させることができる。
【産業上の利用可能性】
【００４０】
以上のように本発明は、１台の室外ユニットに１台の室内機が接続される空気調和機だけではなく、１台の室外ユニットに複数台の室内機が接続されるマルチ型の空気調和機であっても適用することができる。
【符号の説明】
【００４１】
１  室外ユニット
２  基板
２Ａ  風回路室
２Ｂ  機械室
８  仕切板
９Ａ  風回路前板
９Ｂ  機械室前板
９Ｄ  蓋部
９Ｅ  開口部
【図１】
0005252069.tif 000002
【図２】
0005252069.tif 000003
【図３】
0005252069.tif 000004
【図４】
0005252069.tif 000005
【図５】
0005252069.tif 000006
【図６】
0005252069.tif 000007
【図７】
0005252069.tif 000008
【図８】
0005252069.tif 000009
【図９】
0005252069.tif 000010
【図１０】
0005252069.tif 000011